(57)【要約】【課題】  印刷物としては本や新聞がその代表であるが、看板やパンフレットその他のように単に情報を伝えるだけのものではなく、人目を引くことが要求されるものもある。印刷物自体に人目を引く機能を持たせるためには、奇抜な模様や色を用いるだけでは効果が小さい。そこで、本分野では安価で、ランニングコストの不要な、かつ大きなインパクトのある印刷物を提供する。【解決手段】  ポリプロピレン製の立体シートのレンズ側にポリプロピレン用印刷プライマーをコーティングし、その上にインク受容層を形成し、さらにその上からインクジェットプリンターで表面印刷したもの。【選択図】  図１
0003165003.tif 000002
【実用新案登録請求の範囲】
【請求項１】
ポリプロピレン製の立体シートのレンズ側にポリプロピレン用印刷プライマーをコーティングし、その上にインク受容層を形成し、さらにその上からインクジェットプリンターで表面印刷したことを特徴とする印刷物。
【請求項２】
インクジェットプリンターで表面印刷する部分に、予め隠蔽用下地印刷を施したものである請求項１記載の印刷物。
【考案の詳細な説明】
【技術分野】
【０００１】
本考案は、印刷物に関するものである。
【背景技術】
【０００２】
印刷物としては本や新聞がその代表であるが、看板やパンフレットその他のように単に情報を伝えるだけのものではなく、人目を引くことが要求されるものもある。
印刷物自体に人目を引く機能を持たせるためには、奇抜な模様や色を用いるだけでは効果が小さい。よって、レンチキュラーやホログラム等のような立体的に見えるものが使用されたりしている。
【０００３】
しかし、レンチキュラーやホログラム等は効果が大きいが、非常に高価でありすぐに変更することが多いパンフレット等には使えない。
【考案の概要】
【考案が解決しようとする課題】
【０００４】
そこで、本分野では安価で、ランニングコストの不要な、かつ大きなインパクトのあるものが望まれていた。
【課題を解決するための手段】
【０００５】
以上のような現状に鑑み、本考案者は鋭意研究の結果本考案印刷物を完成したものであり、その特徴とするところは、ポリプロピレン製の立体シートのレンズ側にポリプロピレン用印刷プライマーをコーティングし、その上にインク受容層を形成し、さらにその上からインクジェットプリンターで表面印刷した点にある。
【０００６】
ここで、立体シートとは、１枚の薄いシート（例えば、０．２〜１ｍｍ程度）であるにもかかわらず、奥行きが感じられ半透明の厚い（５〜１０ｍｍ程度の）シートのように見えるものをいう。
このようなシートの１例としては、透明プラスチックシートの１面に、多数のレンズ（半球のような突状体：直径０．０５〜０．２ｍｍ、高さ０．０３〜０．２ｍｍ程度）を形成し、他面に底部として見える凹凸又は薄い底部印刷を施したものがある。また表裏両方にレンズがあるものもある。
この多数のレンズは規則正しく整列している。
【０００７】
このような立体シートは通常はレンズと反対側に印刷を施し、レンズ側から見ることによって奥行きが感じられるのである。
【０００８】
本考案でいう立体シートはポリプロピレン製である。これは安価であり製造が容易なためである。
【０００９】
ポリプロピレン製の立体シートのレンズ側にポリプロピレン用印刷プライマーをコーティングする。これは、ポリプロピレンはそのままでは印刷が難しいためである。このプライマーとしては、塩素化ポリプロピレン等市販のものでよい。
【００１０】
レンズ側にプライマーをコーティングし、その上にインク受容層を形成する。これは、インクの吸収性を高めるためであり、通常のものでよい。例えば、ポリビニルアルコール系、タンパク質系、その他の樹脂系のものである。
要するに接着性がよく、水性インクとの親和性がよいものがよい。
【００１１】
この受容層の上に印刷を施すのである。印刷は、文字、模様その他どのようなものでもよい。この印刷はレンズ側から見るため、そのように印刷する必要がある。通常は見る側と反対側（裏面）に印刷し、レンズを通して印刷物を見るが、本考案では逆である。
【００１２】
このレンズ側に表面印刷を施し、その印刷面側から見るため、印刷物はまったく立体には見えない。通常の印刷物である。しかし、その印刷面以外の部分は、厚く見える、即ち半透明で厚いシートとして厚みのある底の部分が離れてみえるのである。この底の部分は前記した凹凸や薄い底部印刷が半透明で見えている。
【００１３】
表面印刷は、インクジェットプリンターで行なう。これはどの会社でも、家庭でも有しているもので、簡単に印刷できるためである。今までの立体印刷はシートとシートの間に印刷を施す、それもオフセット印刷でなければならない等簡単にはできなかった。
【考案の効果】
【００１４】
本考案には、次のような大きな利点がある。
（１）  レンズ側に印刷するため、逆印刷等やフィルム中間位置への印刷等の難しさがない。
（２）  どこの会社や家庭でもあるインクジェットプリンターで簡単に印刷ができる。
（３）  簡単であるにもかかわらず、立体シートであることによるインパクトは大きい。
（４）  パンフレットや看板に最適である。
【図面の簡単な説明】
【００１５】
【図１】本考案方法によって印刷した媒体の断面図である。
【考案を実施するための形態】
【００１６】
以下好適な実施例に基づいて本考案をより詳細に説明する。
【実施例１】
【００１７】
図１は、本考案印刷物の製造方法の１例を示す概略断面図である。図１（ａ）は、立体シート１の断面図である。この図でいうと、上側が表であり人間が見る側である。表側にレンズが多数構成されている。これらのレンズは通常はシートと一体的に成型される。裏面にも凹凸が前面的に構成されている。これが、レンズを通して右目と左目に違うものを見せ、それによって奥のほうにそれがあるように錯覚するのである。そのため、シートが厚く認識されるのである。
【００１８】
この表側に透明のポリプロピレン用印刷プライマー２を塗布する。これは印刷インクの接着性の向上のためである。プライマー自体は塩素化ポリプロピレンのようなものでよく、市販されているもの、新たなもの等どのようなものでもよい。プライマーの塗布厚みは通常通りでよい。
次いで、その上にインク受容層（透明又は半透明）を形成する（インク受容層となる樹脂等を塗布する）。インクの吸収を容易にしにじみ防止等のためである。図では受容層は省略している。
これらは、印刷特性の向上のためであり、印刷会社や専門のところでなくとも、簡単に印刷できるようにするためのものである。
【００１９】
受容層を形成（コーティング）した後は、インクジェットプリンターで表面印刷３するだけである。表面印刷とは、本考案印刷物で表現する主目的のものであり文字や模様その他である。
この表面印刷は、薄い場合、透けて底部（奥の深い底部のように見える部分）が見える場合がある。それによって、全体としてより厚みが強調されることになる。
透けているため表面印刷は全面印刷も可能である。
【００２０】
また、表面印刷が透けるのを防止したい場合には、表面印刷の部分に下地印刷（隠蔽率の大きい白色印刷等）を施してもよい。
印刷部が透けていないため、全面印刷すると立体感がなくなるため、部分印刷となる。例えば、全面積の２０〜５０％を印刷する等である。
【符号の説明】
【００２１】
１  立体シート
２  プライマー
３  表面印刷
【図１】
0003165003.tif 000003